(57)【要約】      （修正有）【課題】均一で正確に折り癖を付けた飾り用封緘シートと、斯かる折り癖を付けることができる小型でコンパクトな飾り用封緘シート折り込み装置を提供する。【解決手段】成形用孔を有する下型と、当該下型の上面に載置した飾用封緘シートを癖付けするために、上下に昇降して前記成形用孔に嵌脱可能な上型とからなり、下型の成形用孔にはここに下降して嵌合する上型の外周面との間に折り込み癖形成用空間を形成するようにした。【選択図】図４
0003151119.tif 000002
【実用新案登録請求の範囲】
【請求項１】
成形用孔を有する下型と、当該下型の上面に載置した飾用封緘シートを癖付けするために、上下に昇降して前記成形用孔に嵌脱可能な上型とからなり、下型の成形用孔にはここに下降して嵌合する上型の外周面との間に折り込み癖形成用空間が形成されていることを特徴とする飾り用封緘シートの折り込み装置。
【請求項２】
下型に形成される成形用孔は、多角形であって、多角形の所定の辺に癖形成用空間部分が当該辺部分を越えて長くスリット状に形成されていることを特徴とする請求項１に記載の飾り用封緘シートの折り込み装置。
【請求項３】
下型に形成される成形用孔は、癖形成用空間部分が下型の上端部分で大きく、下方で小さくなるか成形用孔と略等しくなる傾斜状に形成されていることを特徴とする請求項１または請求項２に記載の飾り用封緘シートの折り込み装置。
【請求項４】
容器の開口部を蓋する蓋部分の上方から被せ、締結用部で固定される飾り用封緘シートであって、折り込み癖形成用空間が形成された成形用孔と、当該成形用孔に下降して嵌合する上型で所定の形状にあらかじめ癖付けされていることを特徴とする飾り用封緘シート。
【考案の詳細な説明】
【技術分野】
【０００１】
本考案は、蓋をした容器に被せて使用する飾り用封緘シート及び飾り用封緘シートの折り込み装置に関するものである。
【背景技術】
【０００２】
例えば、酒や食品等を充填した広口ビン（容器）では、その商品価値を高めるために、充填口を蓋した蓋に飾り用の封緘紙（シート）を被せ、その外周を紐やゴム等の締結具で固定するようにしたものがある。
このように、商品価値を高めるために、蓋に飾り用の封緘紙を装着する場合、矩形に形成された飾り用の封緘紙を、その中心を蓋の中心に合わせて載せ置いた状態で、その上方から両手で蓋の周囲にあわせて絞りながら、封緘紙の周縁部分が容器の側面に沿わせた後、周囲をカラフルな紐で縛るようにしている。
【０００３】
上記のようにして飾り用封緘シートを容器の蓋部分に装着する場合、封緘紙の形状が、絞る手加減により決定されるので、その折り込みがランダムとなり、細かく余分な皺が発生したりして、不揃いになり商品価値を十分に向上させることができないという問題があった。
そこで、内容物を充填した容器に蓋をし、蓋をした容器に飾り用封緘シートを被せ付け、紐で固定するまで一連に処理する装置が提案されている（特許文献１参照）。
【０００４】
ところがこうした装置は、大掛かりなもので設置面積も大きなスペースを必要とするうえ、地場産業等の少量生産には不経済で不向きのものである。
【先行技術文献】
【特許文献】
【０００５】
【特許文献１】特開２００２−３０８２０９号公報
【考案の概要】
【考案が解決しようとする課題】
【０００６】
本考案は、上記問題点に鑑み提案されたもので、均一で正確に折り癖を付けた飾り用封緘シートと、斯かる折り癖を付けることができる装置を小型でコンパクトに提供することができるようにして、設置面積も小さくして、地場産業のような少量生産にも最適なものにできるようにすることを目的とするものである。
【課題を解決するための手段】
【０００７】
上記目的を達成するために、本考案にかかる飾り用封緘シートの折り込み装置は、  成形用孔を有する下型と、当該下型の上面に載置した飾用封緘シートを癖付けするために、上下に昇降して前記成形用孔に嵌脱可能な上型とからなり、下型の成形用孔にはここに下降して嵌合する上型の外周面との間に折り込み癖形成用空間が形成されていることを特徴とするものである。
【０００８】
本考案にかかる飾り用封緘シートの折り込み装置は、下型に形成される成形用孔が、多角形であって、多角形の所定の辺に癖形成用空間部分が当該辺部分を越えて長くスリット状に形成されていることや、下型に形成される成形用孔は、癖形成用空間部分が下型の上端部分で大きく、下方で小さくなるか成形用孔と略等しくなる傾斜状に形成されていることも特徴とするものである。
【０００９】
本考案にかかる飾り用封緘シートは、容器の開口部を蓋する蓋部分の上方から被せ、締結用部で固定される飾り用封緘シートであって、折り込み癖形成用空間が形成された成形用孔と、当該成形用孔に下降して嵌合する上型で所定の形状にあらかじめ癖付けされていることを特徴とするものである。
【考案の効果】
【００１０】
本考案にかかる飾り用封緘シートの折り込み装置によれば、成形用孔を有する下型と、当該下型の上面に載置した飾用封緘シートを癖付けするために、上下に昇降して前記成形用孔に嵌脱可能な上型とからなり、下型の成形用孔にはここに下降して嵌合する上型の外周面との間に折り込み癖形成用空間が形成されているので、簡単な構造で、コンパクトにすることができる。
これにより、均一で正確に折り癖が付けられた飾り用封緘シートを作成する折り込み装置の設置面積も小さくして、小規模な地場産業のような少量生産にも最適なものにすることができる。
【００１１】
本考案にかかる飾り用封緘シートの折り込み装置において、下型に形成される成形用孔が、多角形であって、多角形の所定の辺に癖形成用空間部分が当該辺部分を越えて長くスリット状に形成され、また、下型に形成される成形用孔が、癖形成用空間部分が下型の上端部分で大きく、下方で小さくなるか成形用孔と略等しくなる傾斜状に形成したものでは、構造が簡単で安価に製造できながらも、飾り用封緘シートが成形用孔を上方から下方に通過するときに、飾り用封緘シートに正確で均一な癖付けをすることができる利点がある。
【００１２】
そして、本考案にかかる飾り用封緘シートは、容器の開口部を蓋する蓋部分の上方から被せ、締結用部で固定される飾り用封緘シートであって、折り込み癖形成用空間が形成された成形用孔と、当該成形用孔に下降して嵌合する上型で所定の形状にあらかじめ癖付けされているので、容器の蓋部分への装着を、美しく見える折り形に正確で且つ均一な形状に装着することができる。これにより商品価値を大幅に向上させることができる利点がある。
【図面の簡単な説明】
【００１３】
【図１】は本考案にかかる飾り用封緘シートの折り込み装置の使用状態を示す締結用紐を外した状態の斜視図である。
【図２】は本考案にかかる飾り用封緘シートの折り込み装置の下型の平面図である。
【図３】は図２におけるＡ―Ａ線断面図である。
【図４】は本考案にかかる飾り用封緘シートの折り込み装置を昇降させる昇降装置の斜視図である。
【図５】は本考案にかかる飾り用封緘シートの折り込み装置を昇降装置で使用している状態の要部の斜視図である。
【図６】は本考案にかかる折り癖が形成された飾り用封緘シートの仰瞰図である。
【考案を実施するための形態】
【００１４】
以下、本考案にかかる飾り用封緘シート及び飾り用封緘シートの折り込み装置の最も好ましい実施の形態を図面に基づいて説明する。
【実施例】
【００１５】
図１は、本考案にかかる飾り用封緘シートの使用状態を示すもので締結用紐を外した状態の斜視図であって、図中符号1は例えば梅干等の食品を充填した広口ビン（容器２）の上部開口部分を蓋３にて蓋し、その蓋３部分の上方から被せつけられた飾り用封緘シートを全体的に示す。
この飾り用封緘シート１は、蓋３部分の上方から被せつけられた後は紐４でしっかりと固定されるもので、この飾り用封緘シート１は後述する折り込み装置５（図４参照）であらかじめ癖付けされている。
【００１６】
飾り用封緘シート１は、着色された和紙等の比較的厚手で地模様のある略正方形の扁平な紙が使用されている。
そして、上記飾り用封緘シート１に折り癖を付ける折り込み装置５は、図２に示すように、成形用孔６を有する下型７と、当該下型７の上面に載置した飾用封緘シート１を癖付けするために、上下に昇降して前記成形用孔６に嵌脱可能な上型８とからなる。
上型８は後述する下型の成形用孔６に嵌合する多角形（８角形）に形成され、その上面中央部分が、昇降装置（図４参照）９の昇降部材１０に取り付けられており、飾り用封緘シート１が破れるのを防止するために多角形の底面側の角部は面取り１０されている。
【００１７】
上型８が下降して貫通する成形用孔６が形成されている下型７は、図２及び図３に示すように、矩形で厚みのあるアルミニウム等の金属の板材１１に、８角形の孔を形成し、その１つおきの周囲四辺部分に、ここに下降して貫通する上型８の外周面との間に折り込み癖形成用空間１２が形成されている。
この折り込み癖形成用空間１２は、上記周囲の４辺部分の長さを越えて、長くスリット１３状に形成し、このスリット１３の側面部分は下型の下面で正８角形に近づくように傾斜面１４にしてある（図３参照）。
【００１８】
因みに、上記多角形に形成された成形用孔６の下端の最小径部分の大きさは、癖付けされた飾り用封緘シート１が装着される広口ビン２の蓋３の径より大きく形成されており、上型８の円筒状４部分の径は下型７の成形用孔６の下端部の径から少なくとも飾用封緘シート１の厚みを引いた以下の径にしてある。
また、飾り用封緘シート１が破れるのを防止するためにスリット１３と８角形との間の上端の角部は面取り１５されている。
【００１９】
上記のように構成された折り込み装置５の上型８を昇降させる昇降装置９を次に説明する。
この昇降装置９は、図４に示すように下型７を載置するベース１６の一側部から支持プ部材１７を立設し、この支持部材１７の水平先端部に昇降操作用ロッド１８を昇降摺動可能に支持させ、当該昇降操作用ロッド１８の下端に前記上型８の上面部分が固定されるとともに、昇降操作用ロッド１８の支持部分１７から上方に突出する部分には上型引き上げ用のコイルスプリング１９が装着されており、このコイルスプリング１９により上型８が上方に引き上げ付勢されている。
【００２０】
上記の昇降装置９を用いて飾り用封緘シート１に折り癖をつける手順を次に説明する。
先ず、昇降装置９のベース１６の所定位置に下型７をボルト２０等で固定する。
次に、昇降装置９の昇降操作用ロッド１０の下端に上型８を、下型７と同心状に取り付ける。
昇降用ロッドの下端に取り付けられた上型は、図示は省略したが、昇降操作用ロッド１８がこれを支持する支持部材１７に例えばキー溝等の回り止め手段によって昇降摺動されるようになっているので、下型７と位置ずれを生じることはない。
【００２１】
そして、これから折り癖をつけしようとする飾用封緘シート１を下型７の上面に載置した後、昇降操作用ロッド１８を上型引き上げ用のコイルスプリングの引き上げ付勢力に抗して押し下げる。
すると、折り癖がつけられる飾用封緘シート１は、図５に示すように下降する上型８で下型７の成形用孔６に押し込まれる。
【００２２】
斯くして下降する上型８で下型７の成形用孔６内に押し込まれた飾用封緘シート１は、折り込み癖形成用空間１３が、他の部分のように上型８の外周面と成形用孔６の内周面とに挟まれておらず、自由状態になっていることから、当該部分の飾用封緘シート１は折り込み癖形成用空間１３に入り込む。
折り込み癖形成空間１３に入り込んだ飾用封緘シートは１、スリット状の折り込み癖形成用空間１３の周面が下方に向かって狭隘となる傾斜面になっていることから、上型８が下降するにつれてしっかりと折り込まれてゆき、上型８が下型７の成形用孔６の下方に抜け出るときに強く折りこまれて折り癖が付けられる。
【００２３】
そして、飾用封緘シート１が下型７の成形用孔６の下方に抜け出ると、図６に示すように、正確で且つ綺麗に癖付けされた飾り用封緘シート１が完成する。
飾用封緘シート１が完成した後、これまで押さえ込んでいた昇降操作用ロッド１８は、引き上げ用のコイルスプリング１９の引き上げ付勢力で引き上げ、次の飾用封緘シート１の癖付け作業に備える。
而して、癖付けされた飾用封緘シー１は、梅干等の食品を充填して蓋３をされた広口ビン２の上方から被せつけ、図１に示すように紐４で縛って固定すると、飾用封緘シート１を装着した広口ビン２が完成する。
【００２４】
尚、上記実施の形態では、上型８を昇降装置９で下型７に嵌脱操作するようにしてあるがこうたものに限られず、手動で上型８を下型７に嵌脱操作するようにしてもよいことはもちろんである。この場合、癖付けする飾用封緘シート１が少量の場合に至便なものとなる。
また、上記実施の形態では、下型７の成形用孔６に形成する折り込み癖形成空間１３を４箇所にしてあるがこの個数は３つ、あるいは５つ以上にすることができるのは言うまでもないことである。
さらに、飾用封緘シート１は和紙に限られず、合成樹脂シートで形成することも可能である。
【符号の説明】
【００２５】
１・・・飾り用封緘シート
２・・・広口ビン（容器）
３・・・蓋
４・・・紐
５・・・折り込み装置
６・・・成形用孔
７・・・下型
８・・・上型
１２・・・折り込み癖形成用空間
１３・・・スリット
【図１】
0003151119.tif 000003
【図２】
0003151119.tif 000004
【図３】
0003151119.tif 000005
【図４】
0003151119.tif 000006
【図５】
0003151119.tif 000007
【図６】
0003151119.tif 000008